(57)【特許請求の範囲】
【請求項１】
内容物が収容される有底筒状の容器本体と、
該容器本体の口部に着脱自在に装着されるキャップ体と、
該キャップ体に装着されるとともに該キャップ体から前記容器本体の底部側に向けて突出し、先端に塗布部が配設された塗布具と、を備える塗布具付き容器であって、
前記キャップ体は、
前記塗布具が装着された基筒部と、
該基筒部に容器軸回りに回転自在に外挿されるとともに、前記基筒部に対する回転に伴って前記塗布具を容器軸方向に進退させる回転筒部と、を備え、
前記塗布具には、前記基筒部に形成された径方向に貫通する内孔、および前記回転筒部に形成された径方向の内側に向けて開口する外孔に一体に挿通された装着突起が設けられ、
前記内孔および前記外孔のうちのいずれか一方は、容器軸回りに沿う周方向に螺旋をなすように延在し、他方は容器軸方向に延在し、
前記キャップ体には、前記塗布具が後退端位置に位置するときに該塗布具を前記底部側に向けて付勢する付勢部材が備えられていることを特徴とする塗布具付き容器。
【請求項２】
請求項１記載の塗布具付き容器であって、
前記キャップ体には、前記口部に内挿または外挿されるとともに前記基筒部に連結され、該口部に対して容器軸回りに回転させられることにより該口部に着脱される装着筒部が備えられ、
該装着筒部は、周方向のうち、前記塗布具を前進させるときに前記基筒部に対して前記回転筒部を回転させる一方側に向けて、前記口部に対して回転させることにより、該口部から離脱され、
前記基筒部には、前記塗布具が前進端位置に位置するときに、前記回転筒部に形成された係合部が、前記一方側とは反対側の他方側から係合することで、前記基筒部に対する前記回転筒部の前記一方側に向けた更なる回転を規制する回転規制部が形成されていることを特徴とする塗布具付き容器。
【請求項３】
請求項２記載の塗布具付き容器であって、
前記回転規制部は、前記内孔を画成する壁面のうち、前記他方側を向く面とされ、
前記係合部は、前記外孔を画成する壁面のうち、前記一方側を向く面とされ、
前記塗布具が前進端位置に位置するときに、前記係合部は、前記装着突起を介して前記回転規制部を前記一方側に押圧することにより該回転規制部に係合することを特徴とする塗布具付き容器。
【請求項４】
請求項１から３のいずれか１項に記載の塗布具付き容器であって、
前記内孔および前記外孔のうちの少なくとも一方を画成する壁面には、前記塗布具が後退端位置に位置するときに、前記装着突起に離脱自在に係止することにより該装着突起が前記内孔および前記外孔の双方に沿って前記底部側に移動するのを規制する突起規制部が形成されていることを特徴とする塗布具付き容器。
【発明の詳細な説明】
【技術分野】
【０００１】
本発明は、塗布具付き容器に関する。
【背景技術】
【０００２】
従来から、下記特許文献１に示すような塗布具付き容器が知られているが、この種の塗布具付容器として一般に、内容物が収容される有底筒状の容器本体と、該容器本体の口部に着脱自在に装着されるキャップ体と、該キャップ体に装着されるとともに該キャップ体から容器本体の底部側に向けて突出し、先端に塗布部が配設された塗布具と、を備える構成が知られている。前記塗布部は、容器本体内の内容物内に挿入されており、塗布部は、例えば含浸または付着などにより内容物を保持している。
前記塗布具付き容器を使用するときには、まず、キャップ体を塗布具とともに容器本体から離脱させる。すると塗布部が、内容物を保持した状態で容器本体内から引き出されることとなり、その後、塗布部に保持された内容物を被塗布部に塗布する。
【先行技術文献】
【特許文献】
【０００３】
【特許文献１】実開平５−１４１１号公報
【発明の概要】
【発明が解決しようとする課題】
【０００４】
しかしながら、前記従来の塗布具付き容器では、容器本体内の内容物が減少すると、容器本体にキャップ体を装着させた状態で、例えば塗布部が内容物と十分に接触しなくなる等し、塗布部が内容物を保持し難くなるおそれがあった。
【０００５】
本発明は、前述した事情に鑑みてなされたものであって、その目的は、容器本体内の内容物が減少しても塗布部に内容物を保持させ易くして、残量を減少させることができる塗布具付き容器を提供することである。
【課題を解決するための手段】
【０００６】
前記課題を解決するために、本発明は以下の手段を提案している。
本発明に係る塗布具付き容器は、内容物が収容される有底筒状の容器本体と、該容器本体の口部に着脱自在に装着されるキャップ体と、該キャップ体に装着されるとともに該キャップ体から前記容器本体の底部側に向けて突出し、先端に塗布部が配設された塗布具と、を備える塗布具付き容器であって、前記キャップ体は、前記塗布具が装着された基筒部と、該基筒部に容器軸回りに回転自在に外挿されるとともに、前記基筒部に対する回転に伴って前記塗布具を容器軸方向に進退させる回転筒部と、を備え、前記塗布具には、前記基筒部に形成された径方向に貫通する内孔、および前記回転筒部に形成された径方向の内側に向けて開口する外孔に一体に挿通された装着突起が設けられ、前記内孔および前記外孔のうちのいずれか一方は、容器軸回りに沿う周方向に螺旋をなすように延在し、他方は容器軸方向に延在し、前記キャップ体には、前記塗布具が後退端位置に位置するときに該塗布具を前記底部側に向けて付勢する付勢部材が備えられていることを特徴とする。
【０００７】
この発明では、内容物を塗布する際、容器本体にキャップ体を装着させた状態で、回転筒部を基筒部に対して周方向の一方側に回転させ、装着突起を内孔および外孔の双方に沿って前記底部側に移動させることで塗布具を後退端位置から前進させて、塗布具のキャップ体からの突出量を増やす。ここで塗布具は、後退端位置に位置するときに付勢部材により前記底部側に向けて付勢されているので、装着突起は、内孔および外孔の双方に沿って前記底部側に円滑に移動する。その後、キャップ体を容器本体から離脱させ、塗布部に保持された内容物を被塗布部に塗布する。
そして内容物を塗布し終えた後には、キャップ体を容器本体に装着させるとともに、回転筒部を基筒部に対して前記一方側とは反対側の他方側に回転させ、装着突起を内孔および外孔の双方に沿って、前記底部側とは反対側の反底部側に移動させることで、付勢部材の付勢力に抗して塗布具を後退端位置まで後退させて、塗布具のキャップ体からの突出量を元に戻す。
【０００８】
以上のように、当該塗布具付き容器によれば、キャップ体を容器本体から離脱させる前に、塗布具のキャップ体からの突出量を増やし、塗布部を容器本体の底面に近接、当接または圧接させることができる。
したがって、容器本体内の内容物が減少することにより、例えば塗布具が後退端位置に位置するとき等に、塗布部が容器本体内の内容物に十分に接触しなくなった場合には、塗布部を内容物内に改めて進入させることができる。また、塗布部の内容物との接触量が小さくなった場合には、その接触量を増やすことができる。さらに、容器本体内の底部上に内容物が僅かに残留している場合には、底部上に塗布部を当接または圧接させて内容物を塗布部に保持させることができる。
以上により、容器本体内の内容物が減少しても塗布部に内容物を保持させ易くして、残量を減少させることができる。
【０００９】
また、当該塗布具付き容器を使用して内容物を塗布する際に、キャップ体からの塗布具の突出量を増やした後、元に戻すことができるので、当該塗布具付き容器の未使用時には、塗布部を容器本体の底部から離間させておき、使用する際に、塗布部を容器本体の底部に当接させたり圧接させたりすることができる。このように、未使用時に塗布部を容器本体の底部から離間させておくことにより、容器本体の底部から塗布部に負荷がかかるのを抑えることが可能になり、塗布部の耐久性を確保し易くすることができる。
【００１０】
また塗布具が、後退端位置に位置するときに付勢部材により前記底部側に向けて付勢されているので、装着突起の内孔および外孔の双方に沿った前記底部側への移動を円滑に行うことが可能になり、塗布具を少ない力でスムーズに前進させることができる。
【００１１】
また、前記キャップ体には、前記口部に内挿または外挿されるとともに前記基筒部に連結され、該口部に対して容器軸回りに回転させられることにより該口部に着脱される装着筒部が備えられ、該装着筒部は、周方向のうち、前記塗布具を前進させるときに前記基筒部に対して前記回転筒部を回転させる一方側に向けて、前記口部に対して回転させることにより、該口部から離脱され、前記基筒部には、前記塗布具が前進端位置に位置するときに、前記回転筒部に形成された係合部が、前記一方側とは反対側の他方側から係合することで、前記基筒部に対する前記回転筒部の前記一方側に向けた更なる回転を規制する回転規制部が形成されていてもよい。
【００１２】
この場合、内容物を塗布する際、回転筒部を基筒部に対して前記一方側に向けて回転させることにより、塗布具を前進端位置まで前進させた後、さらに回転筒部を前記一方側に回転させると、回転筒部に加えられた前記一方側に向けた回転力が、係合部、回転規制部および基筒部を介して回転筒部から装着筒部に伝達される。これにより、回転筒部および装着筒部を容器本体の口部に対して共回りさせ、装着筒部を容器本体の口部に対して前記一方側に向けて回転させることが可能になり、キャップ体を容器本体の口部から離脱させることができる。
以上のように、内容物を塗布する際、回転筒部を前記一方側に向けて回転させることだけで、塗布具を前進端位置まで前進させることだけでなく、キャップ体を容器本体の口部から離脱させることもできるので、塗布具付き容器の操作性を向上させることができる。
【００１３】
また、前記回転規制部は、前記内孔を画成する壁面のうち、前記他方側を向く面とされ、前記係合部は、前記外孔を画成する壁面のうち、前記一方側を向く面とされ、前記塗布具が前進端位置に位置するときに、前記係合部は、前記装着突起を介して前記回転規制部を前記一方側に押圧することにより該回転規制部に係合してもよい。
【００１４】
この場合、回転規制部および係合部を、内孔および外孔をそれぞれ画成する壁面により構成することができるので、前述のように塗布具付き容器の操作性を向上させつつ、当該塗布具付き容器の構造が複雑になるのを抑えることができる。
【００１５】
また、前記内孔および前記外孔のうちの少なくとも一方を画成する壁面には、前記塗布具が後退端位置に位置するときに、前記装着突起に離脱自在に係止することにより該装着突起が前記内孔および前記外孔の双方に沿って前記底部側に移動するのを規制する突起規制部が形成されていてもよい。
【００１６】
この場合、内孔および外孔のうちの少なくとも一方を画成する壁面に前記突起規制部が形成されているので、塗布具が後退端位置に位置するときに、付勢部材により塗布具を前記底部側に付勢するだけでは、装着突起に対する突起規制部の係止が解除されずに、付勢部材による付勢に加えて回転筒部を基筒部に対して前記一方側に回転させることにより、装着突起に対する突起規制部の係止が解除されるように構成することができる。これにより、回転筒部を基筒部に対して回転させていないときに、塗布具が不意に前進させられるのを抑制しつつ、回転筒部を基筒部に対して回転させたときに、塗布具を確実に前進させることができる。
【発明の効果】
【００１７】
本発明に係る塗布具付き容器によれば、容器本体内の内容物が減少しても塗布部に内容物を保持させ易くして、残量を減少させることができる。
【図面の簡単な説明】
【００１８】
【図１】本発明の一実施形態に係る塗布具付き容器の縦断面図である。
【図２】図１に示す塗布具付き容器を構成する本体容器の要部の正面図である。
【図３】図１に示す塗布具付き容器の要部の平面図である。
【図４】図３に示す塗布具付き容器の要部の正面図である。
【図５】図１に示す塗布具付き容器の作用を説明する縦断面図である。
【図６】図１に示す塗布具付き容器の作用を説明する縦断面図である。
【発明を実施するための形態】
【００１９】
以下、図面を参照し、本発明の一実施形態に係る塗布具付き容器を説明する。
図１に示すように、塗布具付き容器１０は、内容物が収容される有底筒状の容器本体１１と、該容器本体１１の口部１２に着脱自在に装着されるキャップ体１４と、該キャップ体１４に装着されるとともに該キャップ体１４から下側（底部側）に向けて突出し、先端に塗布部１６が配設された塗布具１７と、を備えている。
【００２０】
なお前記内容物としては、例えば液状体や粉状体などを採用することが可能である。
また、容器本体１１およびキャップ体１４の各中心軸線は、共通軸上に位置している。以下、この共通軸を容器軸Ｏといい、容器軸Ｏに沿ってキャップ体１４側を上側（反底部側）といい、容器本体１１の底部１５側を下側といい、容器軸Ｏに直交する方向を径方向といい、容器軸Ｏを中心に周回する方向を周方向という。
【００２１】
容器本体１１は、前記口部１２および前記底部１５と、口部１２よりも大径とされ下端開口が底部１５により閉塞された胴部１８と、口部１２の下端と胴部１８の上端とを連結する肩部１９と、を備えている。
容器本体１１の外面には、例えば蒸着などにより遮光膜２０が形成されている。遮光膜２０は、前記胴部１８の外周面に全面にわたって形成されている一方で、前記底部１５には形成されておらず、容器本体１１の内部は底部１５を通して視認可能となっている。
【００２２】
図２に示すように、容器本体１１の口部１２の外周面には、後述する装着筒部１３の爪部３４が配置される配置凹部２１が、周方向に複数、間隔をあけて設けられている。配置凹部２１は、前記口部１２の外周面上に形成された凹部画成部２２と、前記肩部１９と、の間に画成されている。凹部画成部２２は、周方向に間隔をあけて複数配置されている。
【００２３】
凹部画成部２２は、容器軸Ｏ方向に沿って延設されるとともに下端が前記肩部１９に連結された第１突条部２３と、第１突条部２３の上端から周方向に延在する第２突条部２４と、第２突条部２４における周方向の中間部から下方に向けて延設され下端が前記肩部１９に連結された第３突条部２５と、を備えている。これらの第１突条部２３、第２突条部２４および第３突条部２５と、肩部１９と、の間に画成される空間が、前記配置凹部２１となっている。
【００２４】
なお、全ての凹部画成部２２における各第２突条部２４は、各第１突条部２３から周方向のうちの同一方向に向けて螺旋をなすように延設されている。
また、第３突条部２５における前記口部１２の外周面からの突出量は、第１突条部２３における前記口部１２の外周面からの突出量よりも小さくなっている。
【００２５】
図１に示すように、容器本体１１の口部１２内には、塗布具１７に付着した余分な内容物をしごき落とすしごき部材２６が配設されている。しごき部材２６は、前記口部１２内に嵌合された嵌合筒部２７と、嵌合筒部２７から径方向の内側に向けて突設されたしごき片２８と、を備えている。これらの嵌合筒部２７およびしごき片２８は、一体に形成されるとともに、容器軸Ｏと同軸に配置されている。
【００２６】
嵌合筒部２７の上端には、径方向の外側に向けて突出する外フランジ部２９が設けられており、この外フランジ部２９は、前記口部１２の開口端縁上に配置されている。また嵌合筒部２７の下端には、径方向の外側に向けて突出し、口部１２の下端に当接もしくは近接する規制凸部３０が形成されている。
しごき片２８は、周方向の全周にわたって延在するとともに、径方向の内側に向かうに従い漸次、下方に向けて延在している。
【００２７】
キャップ体１４は、容器本体１１の口部１２に外挿された装着筒部１３と、前記装着筒部１３から容器軸Ｏ方向に沿って上側に向けて延設されるとともに塗布具１７が装着された基筒部３１と、基筒部３１に容器軸Ｏ回りに回転自在に外挿されるとともに、基筒部３１に対する回転に伴って塗布具１７を容器軸Ｏ方向に進退させる回転筒部３２と、を備えている。装着筒部１３、基筒部３１および回転筒部３２は、容器軸Ｏと同軸に配置されている。
【００２８】
装着筒部１３の上端は、基筒部３１の下端に連結されており、図示の例では、装着筒部１３と基筒部３１とは一体に形成されている。
また装着筒部１３は、容器本体１１の口部１２に対して容器軸Ｏ回りに回転させられることにより該口部１２に着脱される。本実施形態では、装着筒部１３の下端には、径方向の内側に向けて突出する爪部３４が設けられている。爪部３４は、容器本体１１の口部１２における前記配置凹部２１と対応して、周方向に複数、間隔をあけて配設されており、各爪部３４は、当該爪部３４に対応する配置凹部２１内に各別に配置されている。
【００２９】
基筒部３１の下端には、径方向の内側に向けて突出する内フランジ部３６が設けられている。内フランジ部３６は、容器軸Ｏと同軸に配置され、内フランジ部３６には、容器軸Ｏと同軸に配置された取付け筒部３５が、下方に向けて延設されている。取付け筒部３５には、下端部が前記しごき片２８に上方から液密に当接する筒状のシール部材４５が外挿されている。
【００３０】
シール部材４５の下側部分の外径は、上方から下方に向かうに従い漸次、小さくなっており、この下側部分の外周面が、しごき片２８の上面に液密に当接している。またシール部材４５において下側部分よりも上側に位置する上側部分の上端面には、容器軸Ｏと同軸に配置された環状溝４６が上方に向けて開口している。そして、この環状溝４６内に取付け筒部３５が嵌合されている。
【００３１】
また、基筒部３１の下端部の外周面には、周方向の全周にわたって延在する周溝部３７が形成され、基筒部３１の下端部の内周面には、下端が前記内フランジ部３６に連結された縦リブ部３１ａが、周方向に間隔をあけて複数配設されている。そして、基筒部３１において下端部よりも上側に位置する孔形成部分には、径方向に貫通する内孔３８が形成されている。
【００３２】
図３に示すように、内孔３８は、容器軸Ｏを間に挟むように前記孔形成部分に一対、配設されており、これらの内孔３８は、互いに同形同大とされるとともに、図４に示すように、周方向に螺旋をなすように延在している。また内孔３８は、周方向の全長にわたって上方に向けて開口された凹欠き状に形成されている。
【００３３】
なお本実施形態では、図２および図４に示すように、周方向のうち、内孔３８がなす螺旋が上方から下方に向かう方向は、前記凹部画成部２２の第２突条部２４が第１突条部２３から延在する方向と一致している。以下、この方向を一方側といい、周方向に沿って一方側とは反対側を他方側という。
【００３４】
図１に示すように、回転筒部３２の下端は、装着筒部１３の下端と容器軸Ｏ方向の位置が同等であるとともに、回転筒部３２の上端は、基筒部３１の上端と容器軸Ｏ方向の位置が同等となっており、回転筒部３２は、装着筒部１３および基筒部３１に一体に外挿されている。回転筒部３２の内周面には、装着筒部１３の前記周溝部３７が配置された周条部３９が形成されている。
【００３５】
回転筒部３２において周条部３９よりも上側に位置する孔形成部分は、基筒部３１の前記孔形成部分を径方向の外側から囲繞している。回転筒部３２の前記孔形成部分には、径方向の内側に向けて開口する外孔４０が形成されている。
外孔４０は、容器軸Ｏを間に挟むように回転筒部３２の前記孔形成部分に一対、配設されており、容器軸Ｏ方向に延在している。また、これらの外孔４０は、互いに同形同大となっている。図示の例では、外孔４０は、回転筒部３２の前記孔形成部分の内周面に溝状に形成されて径方向の外側に向けて非開口となっている。
【００３６】
また本実施形態では、回転筒部３２は、基筒部３１を上方から覆う有頂筒状に形成されており、回転筒部３２の頂壁部３２ａには、基筒部３１の前記孔形成部分内に挿通される垂下筒部４１が、下方に向けて延設されている。
【００３７】
塗布具１７は、基筒部３１に装着される基部４２と、基部４２から下方に向けて延設された棒部４３と、前記塗布部１６と、を備えている。
塗布部１６は、棒部４３の下端に装着されるとともに、弾性変形可能なブラシ状に形成されている。
【００３８】
基部４２は、外径が基筒部３１の内径よりも若干小さい円盤状に形成され、容器軸Ｏと同軸に配置されている。そして基部４２には、径方向の外側に向けて突出する装着突起４４と、基部４２から上方に向けて突出する立ち上がり筒部４７と、基部４２から下方に向けて突出する内筒部４８および外筒部４９と、が設けられている。立ち上がり筒部４７、内筒部４８および外筒部４９は、容器軸Ｏと同軸に配置されている。
【００３９】
装着突起４４は、容器軸Ｏを間に挟むように一対配設され、基筒部３１の内孔３８および回転筒部３２の外孔４０に一体に挿通されている。装着突起４４は、内孔３８を画成する壁面のうち、上方を向くガイド壁面５０ａに上方から当接している。
立ち上がり筒部４７は、垂下筒部４１とほぼ同径とされ、垂下筒部４１に下方から対向している。また基部４２の上面には、容器軸Ｏと同軸に配置され、立ち上がり筒部４７よりも大径な環状の配置溝部５１が形成されている。
外筒部４９は、内筒部４８を径方向の外側から囲繞するとともに基筒部３１内に嵌合されており、外筒部４９には、基筒部の前記縦リブ部３１ａが径方向の外側から当接している。
【００４０】
棒部４３は容器軸Ｏと同軸に配置されており、棒部４３の上端は、基部４２の前記内筒部４８内に嵌合され、棒部４３の下端は、容器本体１１の胴部１８内におけるしごき部材２６の下端よりも下方に位置している。そして棒部４３は、前記内フランジ部３６内および前記シール部材４５内に挿通されるとともに、棒部４３において、シール部材４５の下端よりも下側に位置する下側部分４３ａは、該下端よりも上側に位置する上側部分４３ｂよりも外径が大きくなっている。棒部４３の下側部分４３ａの外径は、しごき片２８の内径よりも若干大きくされるとともに、棒部４３の上側部分４３ｂの外周面は、シール部材４５の内周面に摺接している。
【００４１】
以上のように構成された塗布具付き容器１０は、例えば搬送時や店舗における陳列時など、使用を開始する前の流通段階では、塗布具１７が後退端位置に位置している。このとき、塗布具１７の棒部４３において上側部分４３ｂと下側部分４３ａとを連結する段部と、シール部材４５の下端とが当接するとともに、塗布部１６の下端と、容器本体１１の底部１５との間に、容器軸Ｏ方向に隙間があいている。
【００４２】
そして本実施形態では、キャップ体１４には、塗布具１７が後退端位置に位置するときに該塗布具１７を下方に向けて付勢する付勢部材５２が備えられている。
付勢部材５２は、容器軸Ｏと同軸に配置された筒状に形成され、例えば樹脂ばね、金属ばね（コイルスプリングなど）、ゴム製部材、エラストマー樹脂製部材等により構成することが可能である。付勢部材５２は、回転筒部３２の前記垂下筒部４１および塗布具１７の前記立ち上がり筒部４７に外挿されるとともに、回転筒部３２の頂壁部３２ａと塗布具１７の基部４２との間に介装されている。付勢部材５２の下端は、基部４２の配置溝部５１内に配置されている。なお付勢部材５２は、回転筒部３２および基部４２のうちのいずれか一方と一体に成形されていてもよい。
【００４３】
また本実施形態では、塗布具１７が後退端位置に位置するときには、図４に示すように、塗布具１７の前記装着突起４４が、基筒部３１の前記内孔３８における周端部３８ａ、３８ｂのうち、上側に位置する上周端部３８ａに位置している。
そして、内孔３８を画成する壁面には、塗布具１７が後退端位置に位置し、前記装着突起４４が上周端部３８ａに位置するときに、装着突起４４に離脱自在に係止する突起規制部５３が形成されている。この突起規制部５３は、内孔３８を画成する壁面のうち、前記ガイド壁面５０ａに形成されている。
【００４４】
ここでガイド壁面５０ａは、内孔３８の前記上周端部３８ａを画成する上側壁部５５ａと、内孔３８における周端部３８ａ、３８ｂのうち、下側に位置する下周端部３８ｂを画成する下側壁部５５ｂと、これらの上側壁部５５ａと下側壁部５５ｂとを連結する中間壁部５５ｃと、により構成されている。本実施形態では、上側壁部５５ａおよび下側壁部５５ｂは、容器軸Ｏに直交する図示しない直交面に平行に、周方向に延在している。また中間壁部５５ｃは、前記一方側に向かうに従い漸次、下方に向けて傾斜している。
そして前記突起規制部５３は、前記ガイド壁面５０ａにおける前記上側壁部５５ａと前記中間壁部５５ｃとの接続部、または前記上側壁部５５ａ上に配設された突起により構成されており、上周端部３８ａに配置された装着突起４４に前記一方側から係止する。
【００４５】
さらに本実施形態では、内孔３８を画成する壁面には、装着突起４４が下周端部３８ｂに位置するときに、装着突起４４に離脱自在に係止する位置保持部５４が形成されている。位置保持部５４は、前記ガイド壁面５０ａにおける前記下側壁部５５ｂと前記中間壁部５５ｃとの接続部、または前記下側壁部５５ｂ上に配設された突起により構成されており、下周端部３８ｂに配置された装着突起４４に前記他方側から係止する。
なお後述するように、装着突起４４が下周端部３８ｂに位置するときには、塗布具１７が前進端位置に位置することとなる。
【００４６】
次に、前記塗布具付き容器１０の作用について説明する。
内容物を塗布する際には、図１に示すように、容器本体１１の口部１２にキャップ体１４を装着させた状態で、回転筒部３２を基筒部３１に対して前記一方側に回転させる。
【００４７】
すると図４に示すように、装着突起４４が突起規制部５３を乗り越えて、突起規制部５３の装着突起４４に対する係止が解除される。その後、装着突起４４は、内孔３８および外孔４０の双方に沿って下方に移動させられることとなり、このとき、塗布具１７が容器軸Ｏ方向に後退端位置から前進させられる。ここで塗布具１７は、後退端位置に位置するときに付勢部材５２により下方に向けて付勢されているので、装着突起４４は、内孔３８および外孔４０の双方に沿って下方に円滑に移動する。なお本実施形態では、塗布具１７は、後退端位置から前進端位置に至るまでの全長にわたって付勢部材５２により付勢される。
【００４８】
そして装着突起４４が、前記位置保持部５４を乗り越えて、内孔３８の下周端部３８ｂに配置されると、この装着突起４４には、内孔３８を画成する壁面のうち、前記他方側を向く規制壁面（回転規制部）５０ｂが前記一方側から当接し、装着突起４４の更なる移動が規制される。このとき、塗布具１７の前進も規制され、塗布具１７が前進端位置に位置することとなる。
以上のように、塗布具１７を容器軸Ｏ方向に前進端位置まで前進させ、塗布具１７のキャップ体１４からの突出量を増やすと、本実施形態では図５に示すように、塗布部１６の下端が容器本体１１の底部１５に当接または圧接する。
【００４９】
次に、キャップ体１４を容器本体１１から離脱させる。このとき本実施形態では、塗布具１７が前進端位置に位置した状態で、さらに回転筒部３２を前記一方側に向けて回転させる。すると図４および図５に示すように、回転筒部３２の前記外孔４０を画成する壁面のうち、前記一方側を向く押圧壁面（係合部）５０ｃが、前記下周端部３８ｂに配置された装着突起４４に前記他方側から当接する。ここで前述のように、装着突起４４は内孔３８の規制壁面５０ｂに当接していることから、基筒部３１に対する回転筒部３２の前記一方側に向けた回転が規制される。このとき、外孔４０の前記押圧壁面５０ｃは、装着突起４４を介して規制壁面５０ｂを押圧することとなる。
【００５０】
したがって、回転筒部３２に加えられた前記一方側に向けた回転力が、前記押圧壁面５０ｃ、装着突起４４、前記規制壁面５０ｂおよび基筒部３１を介して、回転筒部３２から装着筒部１３に伝達される。これにより、回転筒部３２および装着筒部１３が容器本体１１の口部１２に対して共回りさせられ、装着筒部１３が容器本体１１の口部１２に対して前記一方側に向けて回転させられることとなる。
【００５１】
すると図６に示すように、装着筒部１３の爪部３４が、前記凹部画成部２２の第３突条部２５（図２参照）を前記一方側に乗り越えることで、配置凹部２１から離脱される。その後、キャップ体１４と容器本体１１とを容器軸Ｏ方向に相対的に離間移動させ、装着筒部１３の爪部３４に、前記口部１２において周方向に互いに隣り合う凹部画成部２２同士の間を通過させる。これにより、キャップ体１４が前記口部１２から離脱される。
【００５２】
以上のようにしてキャップ体１４を容器本体１１の口部１２から離脱させた後、塗布部１６に保持された内容物を被塗布部に塗布する。このとき本実施形態では、図４および図６に示すように、位置保持部５４が装着突起４４に係止することにより、装着突起４４が内孔３８および外孔４０の双方に沿って上方に移動するのが規制されることとなり、塗布具１７が後退するのを抑制することができる。したがって、塗布具１７が被塗布部から容器軸Ｏ方向に反力を受けても、塗布具１７の容器軸Ｏ方向の位置を安定させることができる。
【００５３】
内容物の塗布を終了し、キャップ体１４を容器本体１１に装着させるときには、図６に示すように、キャップ体１４に装着された塗布具１７をその先端から前記口部１２内に進入させる。その後、キャップ体１４と容器本体１１とを径方向および周方向に位置合わせしながら、キャップ体１４と容器本体１１とを容器軸Ｏ方向に相対的に接近移動させ、装着筒部１３の爪部３４に、前記口部１２において周方向に互いに隣り合う凹部画成部２２同士の間を通過させる。
【００５４】
その後、回転筒部３２を前記他方側に回転させる。このとき、回転筒部３２と装着筒部１３とが前記他方側に共回りすると、装着筒部１３の爪部３４が、前記凹部画成部２２の第３突条部２５を乗り越えて配置凹部２１内に配置され、装着筒部１３が前記口部１２に装着される。
【００５５】
またこのとき、例えば装着筒部１３の爪部３４が、前記凹部画成部２２の第３突条部２５や第１突条部２３に当接すること等により、装着筒部１３の前記口部１２に対する回転が規制され、回転筒部３２が基筒部３１に対して前記他方側に回転することになる。このとき、図４に示すように、装着突起４４が内孔３８および外孔４０の双方に沿って上方に移動することで、付勢部材５２による付勢力に抗して塗布具１７が容器軸Ｏ方向に後退しようとする。
【００５６】
すると、まず装着突起４４が、位置保持部５４を乗り越えて位置保持部５４の装着突起４４に対する係止が解除される。その後、装着突起４４が、内孔３８および外孔４０の双方に沿って上方に移動し、突起規制部５３を乗り越えて内孔３８の上周端部３８ａに位置して、内孔３８を画成する壁面のうち、前記一方側を向く壁面に当接または近接する。これにより、塗布具１７が前進端位置から後退端位置まで後退し、塗布具１７のキャップ体１４からの突出量が元に戻る。
【００５７】
以上説明したように、本実施形態に係る塗布具付き容器１０によれば、キャップ体１４を容器本体１１から離脱させる前に、塗布具１７のキャップ体１４からの突出量を増やし、塗布部１６を容器本体１１の底部１５に近接、当接または圧接させることができる。
したがって、容器本体１１内の内容物が減少することにより、例えば塗布具１７が後退端位置に位置するとき等に、塗布部１６が容器本体１１内の内容物に十分に接触しなくなった場合でも、塗布部１６を内容物内に改めて進入させることができる。また、塗布部１６の内容物との接触量（面積）が小さくなった場合には、その接触量を増やすことができる。さらに、容器本体１１内の底部１５上に内容物が僅かに残留している場合には、底部１５上に塗布部１６を当接または圧接させて内容物を塗布部１６に保持させることができる。
以上により、容器本体１１内の内容物が減少しても塗布部１６に内容物を保持させ易くして、残量を減少させることができる。
【００５８】
また、当該塗布具付き容器１０を使用して内容物を塗布する際に、キャップ体１４からの塗布具１７の突出量を増やした後、元に戻すことができるので、当該塗布具付き容器１０の未使用時には、塗布部１６を容器本体１１の底部１５から離間させておき、使用する際に、塗布部１６を容器本体１１の底部１５に当接させたり圧接させたりすることができる。このように、未使用時に塗布部１６を容器本体１１の底部１５から離間させておくことにより、容器本体１１の底部１５から塗布部１６に負荷がかかるのを抑えることが可能になり、塗布部１６の耐久性を確保し易くすることができる。
【００５９】
また塗布具１７が、後退端位置に位置するときに付勢部材５２により下方に向けて付勢されているので、装着突起４４の内孔３８および外孔４０の双方に沿った下方への移動を円滑に行うことが可能になり、塗布具１７を少ない力でスムーズに前進させることができる。
【００６０】
さらに、内容物を塗布する際、回転筒部３２を前記一方側に向けて回転させることだけで、塗布具１７を前進端位置まで前進させることだけでなく、キャップ体１４を容器本体１１の口部１２から離脱させることもできるので、塗布具付き容器１０の操作性を向上させることができる。
しかも本実施形態では、回転筒部３２に加えられた前記一方側に向けた回転力が、前記押圧壁面５０ｃ、装着突起４４、前記規制壁面５０ｂおよび基筒部３１を介して、回転筒部３２から装着筒部１３に伝達されるので、前述のように塗布具付き容器１０の操作性を向上させつつ、当該塗布具付き容器１０の構造が複雑になるのを抑えることができる。
【００６１】
また、内孔３８の前記ガイド壁面５０ａに前記突起規制部５３が形成されているので、塗布具１７が後退端位置に位置するときに、付勢部材５２により塗布具１７を下方に付勢するだけでは、装着突起４４に対する突起規制部５３の係止が解除されずに、付勢部材５２による付勢に加えて回転筒部３２を基筒部３１に対して前記一方側に回転させることにより、装着突起４４に対する突起規制部５３の係止が解除されるように構成することができる。これにより、回転筒部３２を基筒部３１に対して回転させていないときに、塗布具１７が不意に前進させられるのを抑制しつつ、回転筒部３２を基筒部３１に対して回転させたときに、塗布具１７を確実に前進させることができる。
【００６２】
なお、本発明の技術的範囲は前記実施形態に限定されるものではなく、本発明の趣旨を逸脱しない範囲において種々の変更を加えることが可能である。
例えば、遮光膜２０、しごき部材２６およびシール部材４５はなくてもよい。
【００６３】
また、塗布部１６は前記実施形態に示したものに限られず、例えば含浸または付着などにより内容物を保持するように適宜構成を変更することが可能である。例えば、塗布部として、基部材にフロッキー加工を施すことにより、基部材の表面に植毛部が形成されてなる構成を採用してもよい。また塗布部として、スポンジ状や匙（スパチュラ）状の構成などを採用することも可能である。
【００６４】
また前記実施形態では、突起規制部５３が、内孔３８の前記ガイド壁面５０ａに配設された突起により構成されているものとしたが、これに限られるものではない。例えば、前記ガイド壁面５０ａの前記上側壁部５５ａを、装着突起４４を配置可能に下方に窪ませ、この窪みを突起規制部としてもよい。
さらに前記実施形態では、突起規制部５３が内孔３８を画成する壁面に形成されているものとしたが、内孔３８および外孔４０のうちの少なくとも一方を画成する壁面に形成されていてればよく、外孔４０を画成する壁面に形成されていてもよく、さらに両方の壁面に形成されていてもよい。
さらにまた、突起規制部５３はなくてもよい。
【００６５】
また前記実施形態では、位置保持部５４が、内孔３８の前記ガイド壁面５０ａに配設された突起により構成されているものとしたが、これに限られるものではない。例えば、前記ガイド壁面５０ａの前記下側壁部５５ｂを、装着突起４４を配置可能に下方に窪ませ、この窪みを位置保持部としてもよい。
さらに前記実施形態では、位置保持部５４が内孔３８を画成する壁面に形成されているものとしたが、内孔３８および外孔４０のうちの少なくとも一方を画成する壁面に形成されていてればよく、外孔４０を画成する壁面に形成されていてもよく、さらに両方の壁面に形成されていてもよい。
さらにまた、位置保持部５４はなくてもよい。
【００６６】
また前記実施形態では、基筒部３１の内孔３８は、周方向の全長にわたって上方に向けて開口された凹欠き状に形成されているものとしたが、上方に向けて開口されていなくてもよい。
さらに前記実施形態では、回転筒部３２の外孔４０は、径方向の外側に向けて非開口であるものとしたが、開口していてもよい。
【００６７】
また前記実施形態では、内孔３８が、周方向に螺旋をなすように延在し、外孔４０が、容器軸Ｏ方向に沿って延在するものとしたが、これに限られず、内孔３８が、容器軸Ｏ方向に沿って延在するものとし、外孔４０が、周方向に螺旋をなすように延在していてもよい。つまり、内孔３８および外孔４０のうちのいずれか一方が、周方向に螺旋をなすように延在し、他方が容器軸Ｏ方向に延在していればよい。
なお、外孔４０が周方向に螺旋をなすように延在している場合、周方向のうち、外孔４０がなす螺旋が上方から下方に向かう方向と、塗布具１７を前進させるときに基筒部３１に対して回転筒部３２を回転させる方向と、は、前記実施形態とは異なり互いに反対側を向くこととなる。
【００６８】
また前記実施形態では、塗布具１７が前進端位置に位置するときに、係合部としての回転筒部３２の前記押圧壁面５０ｃが、回転規制部としての基筒部３１の前記規制壁面５０ｂを、装着突起４４を介して前記他方側から押圧するものとしたが、これに限られない。例えば、回転筒部３２の内周面および基筒部３１の外周面それぞれに、係合凸部が各別に設けられ、塗布具１７が前進端位置に位置するときに、回転筒部３２側の係合凸部（係合部）が、基筒部３１側の係合凸部（回転規制部）に前記他方側から係合してもよい。
また前記回転規制部および前記係合部はなくてもよい。
【００６９】
また前記実施形態では、装着筒部１３は、容器本体１１の口部１２に外挿されているものとしたが、内挿されていてもよい。
さらに前記実施形態では、容器本体１１の口部１２の前記配置凹部２１に、装着筒部１３の前記爪部３４が配置されることにより、装着筒部１３が前記口部１２に着脱自在に装着されているものとしたが、これに限られるものではなく、装着筒部１３として、口部１２に対して容器軸Ｏ回りに回転させられることにより口部１２に着脱される構成などを適宜採用することが可能である。例えば、装着筒部１３を口部１２に螺着させてもよい。また、装着筒部１３として、口部１２に対して容器軸Ｏ回りに回転させなくても口部１２に着脱させることができる構成を採用してもよい。
【００７０】
また前記実施形態では、塗布具１７が、後退端位置から前進端位置に至るまでの全長にわたって付勢部材５２により付勢されるものとしたが、後退端位置に位置するときに付勢部材５２により下方に向けて付勢されていれば、全長にわたって付勢されていなくてもよい。
【００７１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７２】
１０  塗布具付き容器
１１  容器本体
１２  口部
１３  装着筒部
１４  キャップ体
１５  底部
１６  塗布部
１７  塗布具
３１  基筒部
３２  回転筒部
３８  内孔
４０  外孔
４４  装着突起
５０ｂ  規制壁面（回転規制部）
５０ｃ  押圧壁面（係合部）
５２  付勢部材
５３  突起規制部
Ｏ  容器軸
【図１】
0005745308.tif 000002
【図２】
0005745308.tif 000003
【図３】
0005745308.tif 000004
【図４】
0005745308.tif 000005
【図５】
0005745308.tif 000006
【図６】
0005745308.tif 000007